(57)【特許請求の範囲】
【請求項１】
アクセサリを装着することによって機能拡張が可能な記録装置であって、
前記アクセサリが装着されたことを検出する検出部と、
装着された前記アクセサリの種類を判別するアクセサリ判別部と、
音声を集音して音声信号に変換する集音部と、
前記音声信号を処理して音声データを生成する信号処理部と、
予め記憶される複数種類の音声信号補正データの中から、前記アクセサリ判別部で判別されたアクセサリの種類に応じ、前記信号処理部で前記音声信号に処理を行う際に参照すべき音声信号補正データを決定する、補正データ決定部と、
前記信号処理部で生成された前記音声データを記録する記録部と、
前記複数種類の音声信号補正データを記憶する補正データ記憶部と、
装着された前記アクセサリと通信を行う通信部と、
前記通信部を介し、装着された前記アクセサリの種類を特定可能な情報であるアクセサリ種類情報を前記アクセサリから受信するアクセサリ種類情報受信部と、を備え、
前記補正データ決定部は、前記補正データ記憶部に記憶される前記複数種類の音声信号補正データの中から、前記アクセサリ種類情報に基づき、前記信号処理部で前記音声信号に処理を行う際に参照すべき音声信号補正データを決定し、
前記記録装置は、
前記通信部を介して、前記記録装置の種類を特定可能な情報である装置種類情報を前記アクセサリに送信する装置種類情報送信部と、
前記装置種類情報に対応して前記アクセサリから送信される音声信号補正データを受信する音声信号補正データ受信部と、をさらに備え、
前記信号処理部は、前記音声信号補正データ受信部で受信した前記音声信号補正データを参照して前記音声信号に処理を行うことを特徴とする記録装置。
【請求項２】
アクセサリを装着することによって機能拡張が可能な記録装置であって、
前記アクセサリが装着されたことを検出する検出部と、
装着された前記アクセサリの種類を判別するアクセサリ判別部と、
音声を集音して音声信号に変換する集音部と、
前記音声信号を処理して音声データを生成する信号処理部と、
予め記憶される複数種類の音声信号補正データの中から、前記アクセサリ判別部で判別されたアクセサリの種類に応じ、前記信号処理部で前記音声信号に処理を行う際に参照すべき音声信号補正データを決定する、補正データ決定部と、
前記信号処理部で生成された前記音声データを記録する記録部と、
前記複数種類の音声信号補正データを記憶する補正データ記憶部と、
装着された前記アクセサリと通信を行う通信部と、
前記通信部を介し、装着された前記アクセサリの種類を特定可能な情報であるアクセサリ種類情報を前記アクセサリから受信するアクセサリ種類情報受信部と、を備え、
前記補正データ決定部は、前記補正データ記憶部に記憶される前記複数種類の音声信号補正データの中から、前記アクセサリ種類情報に基づき、前記信号処理部で前記音声信号に処理を行う際に参照すべき音声信号補正データを決定し、
前記記録装置は、
前記アクセサリから送信される該記録装置に対する音声信号補正データを受信する音声信号補正データ受信部をさらに備え、
前記信号処理部は、前記音声信号補正データ受信部で受信した前記音声信号補正データを参照して前記音声信号に処理を行うことを特徴とする記録装置。
【請求項３】
前記補正データ決定部は、前記記録装置に前記アクセサリが装着されることにより前記集音部で音声を集音する際の音響特性に変化を生じることに対応し、前記音響特性の変化が減じられるように前記音声信号補正データを決定することを特徴とする請求項１又は２に記載の記録装置。
【請求項４】
前記補正データ決定部は、前記アクセサリ判別部で判別されたアクセサリの種類に応じて想定される前記記録装置の使用条件に対応して前記音声信号補正データを決定することを特徴とする請求項１又は２に記載の記録装置。
【請求項５】
前記音声信号補正データは、前記音声信号を増幅する際のアンプゲイン、前記音声信号中のノイズを抑圧する際のノイズ抑圧方法、前記音声信号にイコライジング処理をする際のイコライジング特性のうち、少なくともいずれかを規定するデータであることを特徴とする請求項１から４のいずれか一つに記載の記録装置。
【請求項６】
前記集音部は複数のマイクロホンを具備し、
前記信号処理部は、前記複数のマイクロホンそれぞれから得られる音声信号に前記信号処理を行うことにより、前記集音部の指向性を等価的に変化させることを可能に構成され、
前記音声信号補正データは、前記指向性を規定するデータであることを特徴とする請求項１から５のいずれか一つに記載の記録装置。
【発明の詳細な説明】
【技術分野】
【０００１】
本発明は、音声を集音して音声信号を生成する集音装置によって得られた音声信号を処理して記録する記録装置に関する。
【背景技術】
【０００２】
集音装置、例えばマイクロホンによって得られた音声信号を記録する記録装置としては、音だけを記録する録音装置だけでなく、スチルカメラやムービーカメラ等、映像と音とを記録可能なものもある。最近では、これらの記録装置の高機能化が進み、ユーザのニーズに応じて様々な機能拡張が可能となってきている。
【０００３】
機能拡張をする方法として、様々な種類のアクセサリを使用目的に応じて取り付けることが行われる。ところで、機能拡張の一つとして外部マイクロホンを記録装置に取り付け可能に構成されるものがある。内蔵マイクロホンと外部マイクロホンとでは音響特性が異なるので、内蔵マイクロホン、外付けマイクロホンのそれぞれに対応した音声信号の処理をすることが望ましい。
【０００４】
特許文献１には、複数のマイクロホンを備えていて、このマイクロホンにより音声信号を取得して記録媒体に記録する録音装置において、外部マイクロホンが接続されたときには入力を外部マイクロホンに切り替え、接続された外部マイクロホンから取得された補正用パラメータを用いて音声信号の特性を補正するものが開示される。
【０００５】
また、マイクロホンは、風や息が当たると、いわゆる吹かれと称されるノイズを生じる。このノイズを軽減するために、ウィンドスクリーンが用いられる。しかし、このウィンドスクリーンを用いると、低域の音が減衰して収録されてしまう。
【０００６】
特許文献２には、マイクロホンにウィンドスクリーンが装着されたことを検出する検出手段を備え、この検出手段の検出結果に応じて、マイクロホンで収音して得られた音声信号にイコライジングの処理を有効／無効に切り替えるものが開示されている。
【先行技術文献】
【特許文献】
【０００７】
【特許文献１】特開２００６−３４０２４７号公報
【特許文献２】特開２００５−１８４３１５号公報
【発明の概要】
【発明が解決しようとする課題】
【０００８】
ところで、アクセサリの種類は複数あり、また、その形状や大きさはアクセサリの種類によって様々である。内蔵マイクロホンを備える記録装置にアクセサリが装着された場合、装着されるアクセサリの形状や大きさによっては内蔵マイクロホン用の開口を覆ってしまって、音響特性に影響を及ぼす場合がある。また、装着されるアクセサリが変わると、記録装置の使用形態も変わることがある。
【０００９】
また、ユーザの利便や開発コストの低減を考慮すると、アクセサリは複数種類の記録装置に対して装着可能、すなわち共用可能であることが望ましい。その一方で、記録装置はその形状や大きさに加えて内蔵マイクロホンの配設位置も様々である。そのため、異なる種類の記録装置に同じアクセサリが装着されていたとしても、内蔵マイクロホンを用いての録音に際して、装着されたアクセサリが音響特性に及ぼす影響は記録装置の種類によって異なることがある。
【００１０】
特許文献１に開示されるものでは、装着されるアクセサリが外部マイクロホンであり、外部マイクロホンが装着されたときには内蔵マイクロホンは用いられない。つまり、アクセサリが装着された状態で内蔵マイクロホンを用いること自体が考慮されていない。したがって、装着されているアクセサリが内蔵マイクロホンを用いての録音に影響を及ぼすことについては考慮されていない。
【００１１】
特許文献２に開示されるのは、マイクロホンにウィンドスクリーンが装着されたか否かのみが判定される。つまり、ウィンドスクリーンをアクセサリと考えたとき、アクセサリの存否が判断されるものの、装着されたアクセサリの種類を判定する事に関しては開示されない。
【００１２】
本発明は上記の課題に鑑みなされたもので、内蔵マイクロホンを備えて音声を収録可能な記録装置において、アクセサリ装着の有無や、装着されるアクセサリの種類によらず、音声を良好に収録可能とすることを目的とする。
【課題を解決するための手段】
【００１３】
（１） 本発明は、アクセサリを装着することによって機能拡張が可能な記録装置であって、前記アクセサリが装着されたことを検出する検出部と、装着された前記アクセサリの種類を判別するアクセサリ判別部と、音声を集音して音声信号に変換する集音部と、前記音声信号を処理して音声データを生成する信号処理部と、予め記憶される複数種類の音声信号補正データの中から、前記アクセサリ判別部で判別されたアクセサリの種類に応じ、前記信号処理部で前記音声信号に処理を行う際に参照すべき音声信号補正データを決定する、補正データ決定部と、前記信号処理部で生成された前記音声データを記録する記録部と、前記複数種類の音声信号補正データを記憶する補正データ記憶部と、装着された前記アクセサリと通信を行う通信部と、前記通信部を介し、装着された前記アクセサリの種類を特定可能な情報であるアクセサリ種類情報を前記アクセサリから受信するアクセサリ種類情報受信部と、を備え、前記補正データ決定部は、前記補正データ記憶部に記憶される前記複数種類の音声信号補正データの中から、前記アクセサリ種類情報に基づき、前記信号処理部で前記音声信号に処理を行う際に参照すべき音声信号補正データを決定し、前記記録装置は、前記通信部を介して、前記記録装置の種類を特定可能な情報である装置種類情報を前記アクセサリに送信する装置種類情報送信部と、前記装置種類情報に対応して前記アクセサリから送信される音声信号補正データを受信する音声信号補正データ受信部と、をさらに備え、前記信号処理部は、前記音声信号補正データ受信部で受信した前記音声信号補正データを参照して前記音声信号に処理を行うことを特徴とする。
（２） 本発明は、アクセサリを装着することによって機能拡張が可能な記録装置であって、前記アクセサリが装着されたことを検出する検出部と、装着された前記アクセサリの種類を判別するアクセサリ判別部と、音声を集音して音声信号に変換する集音部と、前記音声信号を処理して音声データを生成する信号処理部と、予め記憶される複数種類の音声信号補正データの中から、前記アクセサリ判別部で判別されたアクセサリの種類に応じ、前記信号処理部で前記音声信号に処理を行う際に参照すべき音声信号補正データを決定する、補正データ決定部と、前記信号処理部で生成された前記音声データを記録する記録部と、前記複数種類の音声信号補正データを記憶する補正データ記憶部と、装着された前記アクセサリと通信を行う通信部と、前記通信部を介し、装着された前記アクセサリの種類を特定可能な情報であるアクセサリ種類情報を前記アクセサリから受信するアクセサリ種類情報受信部と、を備え、前記補正データ決定部は、前記補正データ記憶部に記憶される前記複数種類の音声信号補正データの中から、前記アクセサリ種類情報に基づき、前記信号処理部で前記音声信号に処理を行う際に参照すべき音声信号補正データを決定し、前記記録装置は、前記アクセサリから送信される該記録装置に対する音声信号補正データを受信する音声信号補正データ受信部をさらに備え、前記信号処理部は、前記音声信号補正データ受信部で受信した前記音声信号補正データを参照して前記音声信号に処理を行うことを特徴とする。
【発明の効果】
【００１４】
本発明によれば、内蔵マイクロホンによって集音されて生成された音声信号を処理し、音声データを生成して記録する記録装置で音が収録される際に、アクセサリ装着の有無や、装着されるアクセサリの種類によらず、良好な音で収録することが可能となる。
【図面の簡単な説明】
【００１５】
【図１】記録装置としてのカメラと、このカメラに装着されるアクセサリの例を示す図であり、（ａ）はカメラにアクセサリとしてＯＶＦ（光学的ビューファインダ）が装着される様子を、（ｂ）はカメラの要部外観を示す斜視図である。
【図２】カメラに装着可能なＥＶＦ（電子ビューファインダ）の外観を示す斜視図である。
【図３】カメラに装着可能なリングフラッシュの外観を示す斜視図である。
【図４】カメラに装着可能な外付けフラッシュの外観を示す図であり、（ａ）は全体を、（ｂ）は切り欠き部を拡大して部分的に示す斜視図である。
【図５】カメラおよびカメラに装着されるアクセサリの内部構成を概略的に示すブロック図である。
【図６】カメラ内で実行されるオーディオ制御データ生成処理手順を概略的に示すフローチャートである。
【図７】カメラからアクセサリに送信されるカメラＩＤをもとにアクセサリ内で対応する内蔵マイクロホン補正データを導出し、それをカメラに送信する際の処理手順を概略的に示すフローチャートであり、（ａ）はカメラ側での、（ｂ）はアクセサリ側での処理手順を、それぞれ示すフローチャートである。
【図８】内蔵マイク補正データを収容したデータテーブルを概念的に示す図であり、カメラ内に記憶されるデータテーブルの例を示す図である。
【図９】図８に示されるのとは異なる種類（機種）のカメラ内に記憶されるデータテーブルの例を示す図である。
【図１０】内蔵マイク補正データを収容したデータテーブルを概念的に示す図であり、アクセサリ内に記憶されるデータテーブルの例を示す図である。
【発明を実施するための形態】
【００１６】
図１は、記録装置としてのカメラ１００にアクセサリとしての光学的ビューファインダ（以下、英語訳のOptical Viewfinderの頭文字をとり、ＯＶＦと称する）が装着される例を示す図である。図１（ａ）にはカメラ１００にＯＶＦ２００が装着された状態を示し、図１（ｂ）にはＯＶＦ２００を取り外したカメラ１００の要部を部分的に示す。
【００１７】
撮影レンズ６００は、カメラ１００に対して着脱可能に装着されるものであっても、取り外し不能に固定されていてもよいが、本明細書中で撮影レンズ６００は着脱可能であるものとする。カメラ１００の上面には、図１（ｂ）に示されるようにアクセサリシュー１１０が備えられる。このアクセサリシュー１１０を介してカメラ１００に様々な種類のアクセサリを装着することができる。アクセサリシュー１１０には、カメラ１００と、カメラ１００に装着されたアクセサリとの間で電気的な接続を可能とする接点１１２が設けられる。接点１１２を介してカメラ１００とアクセサリとの間で信号や情報の授受が可能に構成される。
【００１８】
本明細書中ではアクセサリを装着するための手段としてアクセサリシュー１１０をカメラ１００が備える例について説明するが、ねじ穴、スロット、コネクタ、クランプ装置、あるいは三脚穴にねじ止めされるブラケット等、他の形式のアクセサリ装着手段を備えていてもよい。また、装着されるアクセサリの種類に対応して複数のアクセサリ装着手段を備えていてもよい。また、カメラ１００とアクセサリとの間の通信手段は有線であっても無線であってもよい。
【００１９】
カメラ１００の内部には、ステレオの内蔵マイクロホンが備えられる。内蔵マイクロホンの設置位置は、被写体の存在する側からの音を良好に集音可能とするため、カメラの前面（撮影時に被写体と正対する面）や上面に設けられる。図１においては、カメラ１００の前面および上面に設けられる例が示されている。すなわち、内蔵マイクロホン１０６および１０８はカメラ１００の前面に設けられる例を示しており、内蔵マイクロホン１０２および１０４はカメラ１００の上面に設けられる例を示している。
【００２０】
図１には説明のために上述した二組の内蔵マイクロホン１０６および１０８ならびに１０２および１０４を示してあるが、いずれかの組の内蔵マイクロホン１０６および１０８または１０２および１０４がカメラ１００に備えられていればよい。無論、二組、またはそれ以上の組の内蔵マイクロホンがカメラ１００に備えられていてもよいし、奇数個の内蔵マイクロホンが備えられていてもよい。
【００２１】
以下の説明で、内蔵マイクロホン１０２および１０４と内蔵マイクロホン１０６および１０８とを区別する必要があるときにはいずれかの符号を付して説明する。一方、内蔵マイクロホン１０２および１０４と内蔵マイクロホン１０６および１０８との間で区別が必要無いときには符号を付さず、単に内蔵マイクロホンと称する。
【００２２】
内蔵マイクロホンによって集音されて生成された音声信号は、後で詳しく説明するように処理されて音声データが生成され、動画とともに記録される。音声データはまた、静止画の画像データと関連付けて記録することも可能である。例えば、静止画を撮影した直後の数秒間にわたって音声を収録したり、撮影して得られた画像を再生表示させたときにユーザがメニュー操作をすることにより、撮影の後で音声を収録したりすることも可能である。
【００２３】
カメラ１００が内蔵マイクロホン１０２および１０４を備えるものである場合、ＯＶＦ２００をカメラ１００に装着すると、図１（ａ）に例示されるように内蔵マイクロホン１０２および１０４の開口部分がＯＶＦ２００によって覆われてしまう。その結果、ＯＶＦ２００が装着された状態で音声が集音されると、内蔵マイクロホン１０２および１０４で集音される際の音響特性が変化する。理由は、内蔵マイクロホン１０２および１０４に到達する音の音圧が低下するからである。
【００２４】
また、特に動画を撮影するような状況で、撮影者がＯＶＦ２００の接眼部分に眼をあてながら撮影をすると、ユーザの呼吸音（鼻息の音）が比較的大きく集音されてしまうことがある。
【００２５】
図２は、アクセサリシュー１１０に装着されるアクセサリの一例である電子ビューファインダ（以下、英語訳のElectronic Viewfinderの頭文字をとり、ＥＶＦと称する）の外観を示す図である。ＥＶＦ２１０は、大きく分けてベース部２１６と本体部２１４とを備える。
【００２６】
ベース部２１６は、カメラ１００の後面（上述した前面と対向する面を「後面」と称する）に設けられるコネクタと電気的に接続するためのコネクタ２１８と、アクセサリシュー１１０を介してカメラ１００と機械的、電気的に接続するための接続部２２０とを備える。
【００２７】
本体部２１４は接眼部２１２を備える。本体部２１４の内部には、カラーの液晶表示素子、バックライト装置、これらの液晶表示素子やバックライト装置を駆動するための回路、液晶表示素子に表示される画像を拡大して接眼部２１２に導くための観察光学系等を備える。
【００２８】
本体部２１４とベース部２１６とは、図２に示される軸Ｏ−Ｏ’を中心として回動可能に構成されており、ＥＶＦ２１０がカメラ１００に装着された状態で本体部２１４をティルトさせることが可能である。これによりローアングルでの撮影等が容易に行えるようになっている。液晶表示素子、バックライト装置を駆動するための電力は、コネクタ２１８を介してカメラ１００から供給されるものとする。
【００２９】
ＥＶＦ２１０は、カメラ１００の電源のオン／オフに連動して動作／動作停止状態に切り替えられる。動作状態とは、バックライトを点灯させた状態で液晶表示素子を駆動し、カメラ１００からコネクタ２１８を介して出力される画像データをもとに液晶表示素子上に画像を表示させる状態である。動作停止状態とは、バックライトを消灯させるとともに液晶表示素子の駆動も停止した状態である。
【００３０】
ＥＶＦ２１０はまた、カメラ１００の電源がオンとなっている状態で動作を停止させることもできる。この場合、カメラ１００の背面に備えられるモニタ表示装置がビューファインダの代わりに用いられる。ユーザはこのとき、モニタ表示装置に表示される画像が肉眼で明瞭に見える程度に眼とモニタ表示装置との間の距離を調節し、モニタ表示装置に表示されるライブビュー画像を見ながら撮影を行う。
【００３１】
カメラ１００が内蔵マイクロホン１０２および１０４を備えるタイプのものである場合、ＥＶＦ２１０をカメラ１００に装着すると、ＯＶＦ２００を装着したときと同様に内蔵マイクロホン１０２および１０４の開口部分がＥＶＦ２１０によって覆われてしまう。その結果、ＥＶＦ２１０が装着された状態では、内蔵マイクロホン１０２および１０４に到達する音の音圧レベルが低下してしまう。その結果、内蔵マイクロホン１０２および１０４によって集音される際の音響特性が変化する。
【００３２】
また、特に動画を撮影するような状況で、撮影者がＥＶＦ２１０の接眼部分に眼をあてながら撮影をすると、ユーザの呼吸音が比較的大きく集音されてしまうことがある。加えて、ＥＶＦ２１０が動作状態にあると、可聴帯域のノイズを発生する場合がある。このノイズは、主にＥＶＦ２１０中のバックライト駆動部に備えられる昇圧回路の動作等に起因するものである。
【００３３】
図３は、リングフラッシュ３００の外観を示す図である。リングフラッシュ３００は、本体部３０２と、発光部３０８と、ケーブル３０６とを備える。本体部３０２は、電池収納部、発光エネルギを一時的に蓄えるメインコンデンサ、電源電圧（一次電圧）を、メインコンデンサに充電する際の二次電圧に昇圧するための昇圧回路、キセノン管での発光光量を制御する光量制御回路等を収容する。本体部３０２はまた、アクセサリシュー１１０を介してカメラ１００と機械的、電気的に接続するための接続部３０４を備える。発光部３０８は、円弧型に形成されたキセノン管や、キセノン管から発せられる光を被写体に向けて反射する反射傘、光を拡散するためのディフューザ等を備える。
【００３４】
本体部３０２と発光部３０８とはケーブル３０６によって電気的に接続される。本体部３０２は上述のようにカメラ１００のアクセサリシューに取り付けられる一方、発光部３０８は撮影レンズ６００の先端部分に装着される。
【００３５】
発光部３０８は撮影レンズ６００に入射する光を遮らないようにするため、撮影レンズ６００の最前面に位置するレンズの直径よりも大きな開口を有し、その開口を囲うように円環部（ドーナツ状の部分）が形成される。そのため、発光部３０８が撮影レンズ６００に装着されると、カメラ１００が内蔵マイクロホン１０６および１０８を備えるタイプのものである場合、内蔵マイクロホン１０６および１０８に到達する音の音圧レベルが低下する。その結果、内蔵マイクロホン１０６および１０８によって集音される際の音響特性が変化する。
【００３６】
また、カメラ１００が内蔵マイクロホン１０２および１０４を備えるタイプのものである場合も、撮影レンズ６００の長さが比較的短く、発光部３０８の外形が比較的大きいと、内蔵マイクロホン１０２および１０４に到達する音の音圧レベルが低下し、内蔵マイクロホン１０２および１０４によって集音される際の音響特性も変化する場合がある。
【００３７】
さらに、リングフラッシュ３００で上記一次電圧から二次電圧への昇圧動作が行われているときには発振音を生じ、それが内蔵マイクロホンによって集音されてノイズとなる可能性がある。
【００３８】
リングフラッシュ３００は、主としてクローズアップ撮影時に用いられることを想定しているため、発光量（ガイドナンバ）は小さめに設定される。これはすなわち、リングフラッシュ３００が装着され、かつリングフラッシュ３００の電源がオンされた場合、カメラ１００の使用条件は近接撮影であると想定することができる。
【００３９】
図４は、外付けフラッシュ４００の外観を示す図であり、図４（ａ）はその全体を、図４（ｂ）はその下部付近を拡大して部分的に示す図である。外付けフラッシュ４００は、本体部４０６と、発光部４０８とを備える。本体部４０６は、リングフラッシュ３００について説明したのと同様、電池収納部、メインコンデンサ、昇圧回路、光量制御回路等を収容する。本体部４０６はまた、カメラ１００で焦点調節動作が行われる際にＡＦ補助光を照射するＡＦイルミネータや、アクセサリシュー１１０を介してカメラ１００と機械的、電気的に接続するための接続部４０２等を備える。本体部４０６の下部、接続部４０２の上方には凹部４０４が形成される。
【００４０】
凹部４０４は、カメラ１００が内蔵マイクロホン１０２および１０４を備える場合に対応して備えられており、被写界からカメラ１００に向かって伝播してくる音を反射し、反射された音が内蔵マイクロホン１０２および１０４に向かって進むように表面形状が定められている。これにより、内蔵マイクロホン１０２および１０４による集音作用を高めることが可能となっている。
【００４１】
発光部４０８は、キセノン管や、キセノン管から発せられる光を被写体に向けて反射する反射傘、撮影レンズ６００の焦点距離（撮影画角）に応じて照射角度を変化させるための照射角度調節機構、バウンス照明を行うために発光部４０８の向きを可変とする機構等を備える。
【００４２】
外付けフラッシュ４００がカメラ１００に装着されると、カメラ１００が内蔵マイクロホン１０２および１０４を備えるタイプのものである場合、上述した凹部４０４での反射効果によって集音性が高められる。すなわち、内蔵マイクロホン１０２および１０４に到達する音の音圧レベルが高められる。また、凹部４０４の形状や材質等の影響により、内蔵マイクロホン１０２および１０４によって集音される際の音響特性に影響を受ける場合がある。
【００４３】
一方、カメラ１００が内蔵マイクロホン１０６および１０８を備えるタイプのものである場合、外付けフラッシュ４００が装着されても内蔵マイクロホン１０６および１０８によって集音される際の音響特性に影響は受けない。
【００４４】
外付けフラッシュ４００はまた、リングフラッシュ３００と同様に、一次電圧から二次電圧への昇圧動作中には発振音を生じるので、それが内蔵マイクロホンによって集音されてノイズとなる可能性がある。
【００４５】
外付けフラッシュ４００は、比較的大きな発光光量を有する。これはすなわち、外付けフラッシュ４００が装着され、かつ外付けフラッシュ４００の電源がオンされた場合、カメラ１００の使用条件は、近距離から比較的遠距離、すなわち撮影するのに十分な光量のフラッシュ光が到達可能な距離にかけての距離範囲内での撮影であると想定される。
【００４６】
なお、カメラ１００の設定感度が低かったり、撮影レンズ６００の焦点距離が短めであったり、バウンス照明をするために発光部４０８が被写体の存在する方向とは異なる方向に向けられたりする場合、フラッシュ光の到達可能な距離が短くなる場合がある。その場合、撮影レンズ６００や外付けフラッシュ４００と通信をして得られる情報に基づき、想定される撮影距離を短く設定することも可能である。以下では、説明を単純化するため、撮影レンズ６００の焦点距離が長めで、カメラ１００の設定感度は低くはなく、発光部４０８は被写体と正対しており、したがって比較的遠距離での撮影が可能であると想定されるものとする。
【００４７】
以上に例示したように、カメラ１００に装着されるアクセサリの種類に応じ、カメラ１００の内蔵マイクロホンによって集音される際の音響特性の変化は様々であり、また、想定される使用条件も異なったものとなる。また、カメラ１００に備えられる内蔵マイクロホンの位置によっても、集音される際の音響特性に及ぼす影響は装着されるアクセサリによって異なる。以下の説明において、アクセサリの種別を特定する必要のない場合には符号を付さず、単に「アクセサリ」と称する。
【００４８】
本発明においては、以下の説明で明らかになるように、カメラにアクセサリが装着されることにより内蔵マイクロホンで集音される際の音響特性に変化を生じることに対応して、この音響特性の変化を補償するように音声信号の処理方法が変えられる。また、装着されるアクセサリの種類に応じて想定される撮影条件に適したものとなるように音声信号の処理方法が変えられる。
【００４９】
図５は、カメラ１００の内部構成を概略的に説明するブロック図である。カメラ１００はデジタルカメラであり、静止画および動画を記録可能に構成されるものとする。無論、カメラ１００は静止画および動画のうち、いずれかのみを記録可能なカメラであってもよい。静止画が記録される場合、撮影動作に引き続いて所定の時間、例えば５秒、１０秒といった時間にわたり、音声の収録が行われるものとする。
【００５０】
カメラ１００は、撮像部１２０と、画像処理部１２２と、表示部１２４と、操作部１２６と、ＣＰＵ１２８と、記憶媒体１３０と、アクセサリ制御部１４０と、オーディオ制御部１５０と、内蔵マイクロホン１０２および１０４または１０６および１０８と、内蔵スピーカ１５８と、ＲＯＭ１６６と、ＲＡＭ１６８とを備える。アクセサリ制御部１４０は、アクセサリ別制御部１４２と、検出部１４４と、通信制御部１４６とを備える。オーディオ制御部１５０は、信号処理部１５２と、Ａ／Ｄコンバータ１５６と、Ｄ／Ａコンバータ１５４とを備える。図５において、Ａ／Ｄコンバータは「Ａ／Ｄ」と表記され、Ｄ／Ａコンバータは「Ｄ／Ａ」と表記される。
【００５１】
表示部１２４は、カラー液晶表示素子とバックライト装置、あるいは有機ＥＬ等の自発光表示素子で構成され、カメラ１００の後面等に設けられる。操作部１２６は、電源スイッチ、モード切替スイッチ、レリーズスイッチ等を備える。
【００５２】
ＲＯＭ１６６は、フラッシュメモリ等で構成される不揮発性の記憶装置であり、ＣＰＵ１２８で実行されるプログラム（ファームウェア）や、カメラ１００内で用いられる制御パラメータ、そして後述する内蔵マイク補正データ等が記憶される。ＲＡＭ１６８は、画像処理部１２２、ＣＰＵ１２８、オーディオ制御部１５０のそれぞれにおいて後述する処理が行われる際のワークエリアとして共用される。
【００５３】
撮像部１２０は、ＣＣＤまたはＣ−ＭＯＳの撮像素子、撮像素子からの画像信号読み出しのタイミングを制御するタイミングジェネレータ、撮像素子から読み出される画像信号を増幅するアンプ、アンプによって増幅されたアナログ画像信号をデジタル画像信号に変換するＡ／Ｄコンバータ等を備えて構成される。撮像部１２０から出力されるデジタル画像信号はＲＡＭ１６８に一時的に記憶される。
【００５４】
画像処理部１２２は、撮像部１２０から上述のように出力されたデジタル画像信号にデモザイキング、階調補正、色バランス補正、フィルタリング等の処理をして画像データを生成する。生成された画像データは、必要に応じて画像処理部１２２で圧縮処理されて記憶媒体１３０に記憶される。この記憶媒体１３０は、不揮発性のフラッシュメモリや磁気記憶装置等で構成される。記憶媒体１３０は、カメラ１００に対して着脱可能に構成されるものであっても、カメラ１００に内蔵されるものであってもよい。記憶媒体１３０がカメラ１００に内蔵される場合には、記憶媒体１３０中にＲＯＭ１６６としての領域を確保することもできる。
【００５５】
画像処理部１２２はまた、カメラ１００が撮影準備動作中（カメラ１００の電源が投入されて撮影モードに設定され、ユーザがフレーミング操作をしているとき）に、表示部１２４にライブビュー画像を表示するための処理も行う。また、カメラ１００にＥＶＦ２１０がアクセサリとして装着され、かつＥＶＦ２１０が動作状態に切り替えられているときには、画像処理部１２２はＥＶＦ２１０の表示解像度に対応したライブビュー画像データを生成してＥＶＦ２１０に出力する。
【００５６】
カメラ１００が再生モードに設定されている場合、画像処理部１２２は記憶媒体１３０から画像データを読み出して表示用画像データを生成し、表示部１２４に表示する処理を行う。この画像処理部１２２は、専用のデジタルシグナルプロセッサ等によって構成可能である。
【００５７】
ＣＰＵ１２８は、カメラ１００の動作を全体的に統括する処理を行う。ＣＰＵ１２８により実行されるプログラムは、上述のようにＲＯＭ１６６にファームウェアとして記憶されており、そのプログラムがＲＡＭ１６８にコピーされてＣＰＵ１２８により逐次読み出されて解釈・実行される。
【００５８】
アクセサリ制御部１４０は、カメラ１００に何らかのアクセサリが装着されたことを検出し、装着されたアクセサリと通信を行い、カメラ１００とアクセサリとの間で後述する情報を授受する。
【００５９】
検出部１４４は、アクセサリシュー１１０に設けられた機械的または電子的スイッチ等を含むものとすることができる。このスイッチは、カメラ１００に対してアクセサリが着脱されるのに連動してオン／オフ状態が変化する。検出部１４４はスイッチのオン／オフ状態を監視することにより、アクセサリシュー１１０にアクセサリが着脱されたことを検出することができる。このようにスイッチをアクセサリシュー１１０に設けることにより、ＯＶＦ等の電気的な構成を備えていないアクセサリが装着された場合であってもその検出をすることが可能となる。
【００６０】
一方、装着可能なものとして想定されるアクセサリの全てが電気的な構成を備えている（何らかのかたちでカメラ１００の側と信号の授受等が可能に構成される）場合には、上述したスイッチを省き、検出部１４４は接点１１２の状態（インピーダンス、信号変化の有無等）を検出することにより、アクセサリシュー１１０にアクセサリが着脱されたことを検出することが可能に構成されていてもよい。
【００６１】
通信制御部１４６は、カメラ１００に装着されたアクセサリとの間で通信を行う。例えば、通信制御部１４６はカメラ１００に装着されたアクセサリからアクセサリＩＤを受信する。アクセサリＩＤは、カメラ１００に装着されたアクセサリの種類を特定可能とする情報を含む。
【００６２】
通信制御部１４６はまた、カメラ１００に装着されたアクセサリに対してカメラＩＤを送信することもできる。カメラＩＤは、アクセサリの装着されたカメラの種類をアクセサリの側で特定可能とする情報である。
【００６３】
ここでアクセサリの側の説明をすると、アクセサリは上記アクセサリＩＤだけではなく、内蔵マイクロホン音声信号補正データも記憶しておくことが可能である。この内蔵マイクロホン音声信号補正データとは、カメラ１００にアクセサリが装着されたことにより内蔵マイクロホンで集音する際の音響特性に変化を生じることに対応し、音響特性の変化を補償するためにカメラ１００の信号処理部１５２で参照されるデータである。以下では内蔵マイクロホン音声信号補正データを単に「内蔵マイク補正データ」と称する。
【００６４】
この内蔵マイク補正データは、アクセサリを使用可能な複数種類のカメラに対応するものがアクセサリ内に記憶される。例えば、カメラ１００が発売された時点よりも後に開発されて発売されたアクセサリにカメラ１００の側で対応するためには、カメラ１００のファームウェア更新等が必要になる。これに対して、アクセサリの側からカメラに内蔵マイク補正データを出力可能に構成されれば上述したファームウェアの更新は必ずしも行う必要はなくなる。
【００６５】
再び図５を参照してカメラ１００の説明をする。上述のようにアクセサリの側から内蔵マイク補正データが出力可能に構成される場合、通信制御部１４６はカメラＩＤをアクセサリに対して送信し、このカメラＩＤに対応してアクセサリから送信される内蔵マイク補正データを受信する。
【００６６】
アクセサリ別制御部１４２は、カメラ１００に装着されるアクセサリの種類を、アクセサリＩＤに基づいて特定し、特定したアクセサリに対応した制御を行う。例えば、装着されるアクセサリがＥＶＦである場合、ＥＶＦに画像を表示させる際の映像信号同期処理を行う。装着されるアクセサリがフラッシュである場合には、フラッシュの発光制御等の処理を行う。また、装着されるアクセサリが外部マイクロホンである場合、外部マイクロホン内部に備えられるオペアンプ（ヘッドアンプ）の電源制御を行い、不使用時には無効化（オペアンプへの給電を停止）して消費電力の低減を図る処理を行う。
【００６７】
上述したアクセサリ制御部１４０の各構成要素は、専用の回路で構成してもよいが、ＣＰＵ１２８上で実行されるプログラムによって実施することも可能である。
【００６８】
オーディオ制御部１５０は、内蔵マイクロホン１０２および１０４、または１０６および１０８、もしくは外部マイクロホンで集音されて生成された音声信号を処理して音声データを生成し、記憶媒体１３０に画像データとともに記憶する。オーディオ制御部１５０はまた、記憶媒体１３０から読み出した音声データを処理してＤ／Ａコンバータ１５４に出力する。
【００６９】
Ａ／Ｄコンバータ１５６は、内蔵マイクロホン１０２および１０４、または１０６および１０８、もしくは外部マイクロホンで集音されて生成されたアナログ音声信号をデジタル音声信号に変換する。なお、内蔵マイクロホン、外部マイクロホンともにヘッドアンプが内蔵されていて、増幅されたアナログ音声信号がＡ／Ｄコンバータ１５６に入力されるものとする。
【００７０】
信号処理部１５２は、Ａ／Ｄコンバータ１５６から入力されたデジタル音声信号を処理し、可聴帯域を複数の帯域に分割した周波数帯域それぞれに対応するゲイン調整（イコライジング）、ノイズ抑圧、指向性調節等の処理を行い、生成されたデジタル音声データを圧縮処理して記憶媒体１３０へ画像データとともに記憶する。なお、近接配置された複数のマイクロホンから得られる音声信号を処理してこれら複数のマイクロホンの指向性を等価的に制御する技術については特開２００７−１５８７３１に開示されているので、本明細書中では説明を省略する。
【００７１】
オーディオ制御部１５０はまた、カメラ１００が再生モードに設定されているときに、記憶媒体１３０中に記憶される画像データを読み出し、伸張、ゲイン調節（再生音量調節）等の処理をしてＤ／Ａコンバータ１５４に出力する。オーディオ制御部１５０は、専用のデジタルシグナルプロセッサによって構成可能である。オーディオ制御部１５０での音声信号処理と画像処理部１２２での画像信号処理とは一つのデジタルシグナルプロセッサによって行われてもよい。
【００７２】
Ｄ／Ａコンバータ１５４は、信号処理部１５２から出力されたデジタル音声データをアナログの音声信号に変換し、内蔵スピーカ１５８に出力する。なお、内蔵スピーカ１５８にはＤ／Ａコンバータ１５４から出力された音声信号を増幅するためのアンプが内蔵されているものとする。
【００７３】
ところで、図５中には、アクセサリがカメラ１００との間で通信可能に構成されるものである場合に、これらのアクセサリが共通して備える、通信のための構成要素が示されている。本実施の形態において、アクセサリ２００（ＯＶＦ）を除くアクセサリ２１０、３００、４００などが通信制御部５００、ＣＰＵ５０２、ＲＯＭ５０４、ＲＡＭ５０６を備えるものとする。
【００７４】
通信制御部５００は、専用のハードウェアによって構成されていてもよいが、ＲＯＭ５０４内に記憶されるプログラムをＣＰＵ５０２が実行することによっても実施可能である。ＲＡＭ５０６は、ＣＰＵがＲＯＭ５０４内に記憶されるプログラムを解釈・実行する際のワークエリアとして用いられる。これらのＣＰＵ５０２、ＲＯＭ５０４、ＲＡＭ５０６についてはワンチップで構成されていても、互いに独立して構成されていてもよい。通信制御部５００は、カメラ１００との間で通信を行う。例えば、カメラ１００からアクセサリＩＤの送信を要求する信号が出力されるのに対応してアクセサリＩＤをカメラ１００に出力する。
【００７５】
また、上述のように、アクセサリが内蔵マイク補正データを記憶するものである場合、その内蔵マイク補正データはＲＯＭ５０４内に記憶される。この場合、通信制御部５００はカメラ１００からカメラＩＤを受信し、このカメラＩＤに対応する内蔵マイク補正データをＲＯＭ５０４から読み出してカメラ１００に送信する。
【００７６】
図６は、カメラ１００の内蔵マイクロホンで生成される音声信号を処理する際の処理方法を規定するオーディオ制御データ生成するための処理手順を説明するフローチャートである。この処理手順は、ＣＰＵ１２８により実行される。
【００７７】
Ｓ６００においてＣＰＵ１２８は、アクセサリシュー１１０にアクセサリが装着されたことを検出する。なお、Ｓ６００の処理は、ＣＰＵ１２８がカメラ１００の動作制御の処理を行いながら適宜の時間間隔で繰り返し行うか、カメラ１００の電源投入時に行うようにしてもよい。そして、アクセサリ装着が検出されたときにＳ６０２以降の処理が行われるようにしてもよい。あるいは、アクセサリシュー１１０にアクセサリが装着されたときに割り込み信号が発生し、それによって図６のフローチャート中、Ｓ６０２以降の処理の実行が開始されるようにしてもよい。
【００７８】
Ｓ６０２においてＣＰＵ１２８は、アクセサリシュー１１０に装着されたアクセサリの種別を判定する。このアクセサリ種別の判定処理においては、アクセサリが通信機能を有する場合、アクセサリと交信を行って、このアクセサリからアクセサリＩＤを受信することが行われる。ところで、カメラ１００に装着されたアクセサリが通信機能を有していない場合であっても、カメラ１００に装着されることが想定されるアクセサリの中で通信機能を有していないアクセサリが１種類しか無く、他のアクセサリが通信機能を有していればアクセサリ種別判別が可能である。例えば図１に示したＯＶＦ２００を通信機能を有していない唯一のアクセサリとすることが可能である。
【００７９】
あるいは、通信機能を有していないアクセサリであっても、アクセサリ側の接続部にアクセサリごとに異なる位置や形状のノッチや凸部等を設け、それらのノッチや凸部の位置に応じて状態が変わるスイッチやセンサをカメラ１００の側に設けることにより、アクセサリ種別判別が可能である。あるいは、アクセサリ側に設けた複数の端子間にアクセサリごとに異なる抵抗値やオン・オフの信号パターンを設定し、カメラ１００の側で抵抗値やオン・オフの信号パターンを検出することにより、アクセサリ種別判別が可能である。
【００８０】
ＣＰＵ１２８はＳ６０４において、アクセサリ種別判別が可能であるか否かの判定を行う。この判定が肯定されるとＳ６０６に進む一方、否定されるとＳ６１２に分岐する。ＣＰＵ１２８はＳ６０６において、アクセサリ内に内蔵マイク補正データがあるか否かの判定を行う。この判定は、例えばアクセサリの種別とアクセサリ内における内蔵マイク補正データの有無とを関連付けるテーブルがカメラ１００内に備えられていて、このテーブル内をサーチし、Ｓ６０２で判別したアクセサリが内部に内蔵マイク補正データを記憶しているか否かをＣＰＵ１２８が判定することが可能である。
【００８１】
Ｓ６０６での判定が肯定されると処理はＳ６０８に進む一方、否定されるとＳ６１２に分岐する。Ｓ６０８においてＣＰＵ１２８は、アクセサリから内蔵マイク補正データを受信する。
【００８２】
Ｓ６１０においてＣＰＵ１２８は、Ｓ６０８でアクセサリから受信したマイク補正データに基づいてオーディオ制御データを生成する。このオーディオ制御データは、オーディオ制御部１５０で音声信号を処理する際の処理方法（イコライザ特性、ノイズ抑圧のためのフィルタ特性、ゲイン、マイク指向性等）を規定したものである。
【００８３】
Ｓ６１２においてＣＰＵ１２８は、カメラ内に内蔵マイク補正データがあるか否かを判定する。この判定は、例えばアクセサリの種別とカメラ１００内における内蔵マイク補正データの有無とを関連付けるテーブルがカメラ１００内に備えられていて、このテーブル内をサーチし、Ｓ６０２で判別したアクセサリに対応する内蔵マイク補正データがカメラ１００内に記憶されているか否かをＣＰＵ１２８が判定することが可能である。Ｓ６１２での判定が肯定されるとＳ６１４に進む一方、否定されるとＳ６１６に進む。
【００８４】
Ｓ６１４においてＣＰＵ１２８は、カメラ１００内に記憶されている内蔵マイク補正データ中から、装着されたアクセサリに対応するものにしたがい、オーディオ制御データを生成する。なお、アクセサリ内およびカメラ１００内の双方に内蔵マイク補正データがある場合、Ｓ６１０およびＳ６１４双方の処理をＣＰＵ１２８が行うことになる。その場合、Ｓ６１４では、アクセサリから受信した内蔵マイク補正データとカメラ１００内に記憶されている内蔵マイク補正データの双方を参照したオーディオ制御データが生成される。
【００８５】
Ｓ６１６でＣＰＵ１２８は、Ｓ６１０、Ｓ６１４、または両方のステップを経て生成されたオーディオ制御データをオーディオ制御部１５０に設定し、一連の処理を完了する。
【００８６】
図６のフローチャートを参照しての上記説明においては、カメラ１００に装着されたアクセサリ内に内蔵マイク補正データが有るか否かについてカメラ１００の側で判定している。そして、内蔵マイク補正データが有ると判定された場合に、この内蔵マイク補正データをアクセサリから受信する。これに対して、以下で説明するようにして内蔵マイク補正データの有無判定の処理を省くことも可能である。
【００８７】
図７は、カメラ１００からアクセサリに対してカメラＩＤが送信され、このカメラＩＤに対応する内蔵マイク補正データがアクセサリ内で導出されて、カメラ１００に送信される際の手順を示すフローチャートである。図７（ａ）がカメラ１００のＣＰＵ１２８で、図７（ｂ）がアクセサリのＣＰＵ５０２で、それぞれ実行される処理手順を示している。
【００８８】
最初に図７（ａ）を参照してカメラ１００内のＣＰＵ１２８により実行される処理について説明する。Ｓ７００およびＳ７０２の処理は、図６のフローチャート中のＳ６０２、Ｓ６０４、Ｓ６０６およびＳ６０８での処理に代えて行われるものとすることが可能である。つまり、図７（ａ）の処理は、図６のフローチャート中、Ｓ６００でアクセサリの装着が検出されたときに実行が開始されるものとすることが可能である。
【００８９】
Ｓ７００においてＣＰＵ１２８は、カメラＩＤをカメラ１００に装着されたアクセサリに送信する。このカメラＩＤは、先にも説明したようにアクセサリの側でカメラの種類を特定可能とする情報である。Ｓ７０２においてＣＰＵ１２８は、Ｓ７００で送信したカメラＩＤに対応してアクセサリから送信された内蔵マイク補正データを受信し、処理を完了する。
【００９０】
図７（ｂ）を参照し、アクセサリのＣＰＵ５０４により実行される内蔵マイク補正データ送信処理手順について説明する。図７（ｂ）のフローチャートに示される処理は、カメラ１００よりカメラＩＤが送信されたときに実行が開始されるものとする。
【００９１】
Ｓ７５０においてＣＰＵ５０４は、カメラ１００からカメラＩＤ情報を受信する。ＣＰＵ５０４はＳ７５２において、内蔵マイク補正データ導出の処理を行う。この内蔵マイク補正データ導出処理は、様々な形態で実施することができる。例えば、アクセサリのＲＯＭ５０４内にカメラＩＤとそのカメラＩＤに対応する内蔵マイク補正データを収容したデータテーブルが記憶される場合、ＣＰＵ５０４はそのデータテーブル中から該当する内蔵マイク補正データを抽出する処理を行う。あるいは、アクセサリのＲＯＭ５０４内にカメラＩＤとそのカメラＩＤに対応する内蔵マイク補正データ生成用パラメータを収容したデータテーブルが記憶される場合、ＣＰＵ５０４はそのデータテーブル中から該当するパラメータを抽出し、抽出されたパラメータをもとに内蔵マイク補正データを生成することも可能である。
【００９２】
Ｓ７５４においてＣＰＵ５０４は、内蔵マイク補正データをカメラ１００に送信し、一連の処理を完了する。
【００９３】
図８、図９は、カメラ１００のＲＯＭ１６６に記憶される、アクセサリＩＤとそのアクセサリＩＤに対応する内蔵マイク補正データを収容したデータテーブルを概念的に示す図である。図８はカメラ１００が内蔵マイクロホン１０２および１０４を有するタイプのものである場合の例を、図９はカメラ１００が内蔵マイクロホン１０６および１０８を有するタイプのものである場合の例を、それぞれ示す。
【００９４】
図８、図９に示される各表において、一番左に示されるアクセサリの種類（名称）と、一番右に示される備考とは、説明のために記載したもので、データテーブル中に必ずしも含まれている必要はない。これらの図８、図９に示される例においては、リングフラッシュ、外付けフラッシュ、ＥＶＦ、外部マイクロホン（図８、図９中では「外部マイク」と表記される）、水中ハウジング、無線通信機能付きストレージといったアクセサリのそれぞれに対応してアクセサリＩＤとして１から６の符号が付与されている。例えば、カメラ１００に装着されたアクセサリからアクセサリＩＤとして１が送信されたとき、装着されたアクセサリはリングフラッシュであるとカメラ１００内において特定される。
【００９５】
以下、図８、図９のデータテーブル中の各項目について説明する。「補正」の項目中、「有効」と表記されているのは、カメラ１００内でデフォルト値として記憶される内蔵マイク補正データに対して補正をすることを意味している。「ゲイン」は、カメラ１００内でデフォルト値として設定されるゲイン（音声信号の増幅率）に乗じる係数を意味している。図８、図９に示される例ではデシベル等の対数表現ではなく、真数での表現となっている。つまり、ゲインが０のとき、音声信号はミュートされることを意味し、０よりも大きく１よりも小さいときにはカメラ１００内でデフォルト値として設定されるゲインを下げる（小さくする）ことを意味し、１以上のときにはゲインを上げる（大きくする）ことを意味する。
【００９６】
「イコライジング」の項目中、「ノーマル」は、カメラ１００内でデフォルト値として設定されるイコライジング特性に従うことを意味する。「特性１（高域向上）」は、カメラ１００内でデフォルト値として設定されるイコライジング特性中、高域におけるゲインを増すことを意味する。「特性２（中高域向上）」は、同じく中域、高域におけるゲインを増すことを意味する。「無効」は、「ゲイン」が０のときに対応して設定される。
【００９７】
「ＮＲ」は、ノイズ抑制の処理に関する設定を意味する。ノイズ抑制の処理は、オーディオ制御部１５０で音声信号を処理する際に特定の帯域の音を減衰させるために例えばノッチフィルタ特性を付与する処理である。このようにノイズ抑制の処理を行うと、カメラ１００に装着されるアクセサリの種類に特有のノイズを抑制することが可能となる。図８、図９に示される例では、リングフラッシュ、外付けフラッシュ、そしてＥＶＦが装着される場合に「ＮＲ」が「オン」となり、それ以外のアクセサリが装着される場合には「オフ」となる。なお、必要とするノッチフィルタ特性が、装着されるアクセサリによって異なる場合、「オン」の設定に代えてフィルタ特性を規定する情報を設定してもよい。
【００９８】
「指向性」は、カメラ１００内でデフォルト値として設定される内蔵マイクの指向性特性を変更するかしないかの設定を意味する。「変更せず」は、カメラ１００内でデフォルト設定されている内容を変更しないことを意味する。「変更」は、カメラ１００内での設定内容に対して変更することを意味する。また、指向性特性を変更する場合にどのような指向性にするかが備考の欄に記載されている。図８、図９に示す例では、外付けフラッシュまたはＥＶＦがカメラ１００に装着される場合に指向性が変更され、変更後の指向性は「前方指向性」である例が示されている。
【００９９】
「無効」は、「ゲイン」が０に設定された場合に対応して設定される。図８、図９において、外部マイクロホンがカメラ１００に装着される場合に対応して、カメラ１００の内蔵マイクロホンに対する設定と、外部マイクロホンに対する設定とがデータテーブル内に収容されている。すなわち、図８、図９において、外部マイクロホンが装着される場合に対応して上下２段にわたって補正データが示されているが、上段が内蔵マイクロホン用のものであり、下段が外部マイクロホン用のものである。「指向性」に関しては、内蔵マイクロホンに対応して「無効」に設定するように規定され、外部マイクロホンに対応して「マイク側設定」と設定するように規定されている。「マイク側設定」とは、外部マイクロホンの側で設定された指向性に従う、という意味である。
【０１００】
アクセサリＩＤが１であるリングフラッシュは、撮影レンズ６００の先端に装着する発光部（図３の発光部３０８）を備える。この発光部により、内蔵マイクロホンに到達する音が減衰する。その減衰の度合いは、カメラ１００が内蔵マイクロホン１０２および１０４を備える場合と内蔵マイクロホン１０６および１０８を備える場合とで異なり、カメラ１００の前面側に備えられる内蔵マイクロホン１０６および１０８で集音する場合の方が減衰の度合いが大きいものとする。また、リングフラッシュがチャージ動作をしているときに発生する発振音は、カメラ１００が内蔵マイクロホン１０２および１０４を備える場合も内蔵マイクロホン１０６および１０８を備える場合も集音される可能性があるものとする。
【０１０１】
これらに対応して、図８、図９の双方において「補正」は「有効」に設定される。「ゲイン」は、図８では１．５に設定されるのに対して図９では２．５に設定される。また、リングフラッシュがチャージ動作をしているときの発振音の影響を抑制するために、図８、図９の双方において「ＮＲ」が「オン」に設定される。発振音はチャージ動作中にのみ発生するので、カメラ１００とアクセサリとの間で随時通信を行い、チャージ動作停止中やリングフラッシュの電源がオフになっているときに対応して「ＮＲ」が「オフ」に設定されるようにしてもよい。
【０１０２】
アクセサリＩＤが２である外付けフラッシュは、比較的大きなガイドナンバを有していて、比較的遠距離でのフラッシュ撮影が可能であるものとする。また、外付けフラッシュには図４に示されるように音を集音しやすくするための凹部４０４が形成されているものとする。カメラ１００が内蔵マイクロホン１０２および１０４を備えている場合に、集音性能が向上するものとする。カメラ１００が内蔵マイクロホン１０６および１０８を備えている場合には、集音性能に対する影響は無いものとする。また、カメラ１００が内蔵マイクロホン１０２および１０４を備えるものであっても、内蔵マイクロホン１０６および１０８を備えるものであっても、外付けフラッシュがチャージ動作をしているときに生じる発振音が集音される可能性があるものとする。
【０１０３】
これらに対応して、図８、図９の双方において「補正」は「有効」に設定される。「ゲイン」は、図８においては若干低下させるべく０．８に設定される一方、図９においては１に設定される。また、外付けフラッシュがチャージ動作をしているときに発する発振音の影響を抑制するために、図８、図９の双方において「ＮＲ」が「オン」に設定される。また、「指向性」は「変更」に設定されて「前方指向性」に設定される。その結果、撮影距離が比較的遠い場合であっても十分なレベルで音の収録が可能となる。「ＮＲ」に関しては、リングフラッシュと同様、チャージ動作停止中や外付けフラッシュの電源がオフになっているときに対応して「ＮＲ」が「オフ」に設定されるようにしてもよい。
【０１０４】
アクセサリＩＤが３であるＥＶＦが装着されると、カメラ１００が内蔵マイクロホン１０２および１０４を備える場合に集音性能が低下するものとする。一方、カメラ１００が内蔵マイクロホン１０６および１０８を有する場合には集音性能に対する影響は無いものとする。また、ＥＶＦを用いて撮影が行われる場合、ユーザの呼吸音が集音されやすくなる。さらに、ＥＶＦが作動しているときにノイズを生じ、このノイズは内蔵マイクロホン１０２および１０４によっても、１０６および１０８によっても集音されるものとする。
【０１０５】
これらのことに対応して、図８、図９の双方において「補正」は「有効」に設定される。「ゲイン」は、図８においては２．５に設定される一方、図９においては１に設定される。「イコライジング」は、図８においては「特性１」に設定される一方、図９においては「ノーマル」に設定される。また、ＥＶＦが作動しているときに生じるノイズの影響を抑制するために、図８、図９の双方において「ＮＲ」が「オン」に設定される。さらに、図８、図９の双方において、ユーザの呼吸音が集音されにくいようにするため、「指向性」が「変更」に設定されて「前方指向性」に設定される。
【０１０６】
カメラ１００は、ＥＶＦが動作状態／動作停止状態にあることを検知可能であるので、ＥＶＦが動作停止状態にある場合（カメラ後面にあるモニタ表示装置を用いて撮影が行われている場合）には、「ＮＲ」が「オフ」に、「指向性」が「変更せず」に設定されてもよい。
【０１０７】
アクセサリＩＤが４である外部マイクロホンが装着されると、カメラ１００の内蔵マイクロホンで生成される音声信号は処理されず、代わりに外部マイクロホンで生成される音声信号が生成されるものとする。
【０１０８】
上記に対応して、図８、図９の双方において、「補正」は「有効」に、「ゲイン」は０に、「イコライジング」は「無効」に、「ＮＲ」は「オフ」に、「指向性」は「無効」に設定される。また、外部マイクロホン用の設定として、図８、図９の双方において、「補正」は「有効」に、「ゲイン」は１に、「イコライジング」は「特性２」に、「ＮＲ」は「オフ」に、「指向性」は「マイク側設定」に設定される。
【０１０９】
アクセサリＩＤが５である水中ハウジングにカメラ１００が収納されると、水中ハウジング内に形成された突起がアクセサリシュー１１０の部分に挿入され、カメラ１００はアクセサリとして水中ハウジングが装着されたことを検出可能に構成されるものとする。水中ハウジングにカメラ１００が収納されると、水中ハウジングによって遮音されるので外部からの音の集音は難しい。また、カメラ１００の撮影レンズ６００で変倍動作や焦点調節動作が行われるときに、鏡枠作動音が水中ハウジング内で響いてしまうことがある。
【０１１０】
上記に対応して、図８、図９の双方において、「補正」は「有効」に、「ゲイン」は０に、「イコライジング」は「無効」に、「ＮＲ」は「オフ」に、「指向性」は「無効」に設定される。
【０１１１】
アクセサリＩＤが６である無線通信機能付きストレージが装着されると、カメラ１００が内蔵マイクロホン１０２および１０４を備える場合に、無線通信機能付きストレージによってマイク開口が覆われ、集音性能が低下するものとする。一方、カメラ１００が内蔵マイクロホン１０６および１０８を有する場合には集音性能に対する影響は無いものとする。
【０１１２】
上記に対応して、「補正」は図８では「有効」に設定される一方、図９では「無効」に設定される。「ゲイン」は、図８においては２に設定される一方、図９においては１に設定される。「イコライジング」は、図８においては「特性１」に設定される一方、図９においては「ノーマル」に設定される。「ＮＲ」は、図８、図９の双方において「オフ」に、「指向性」は「変更せず」に設定される。
【０１１３】
カメラ１００のＣＰＵ１２８は、装着されたアクセサリからアクセサリＩＤを受信し、図８または図９に示されるデータテーブルを探索して、アクセサリから受信したアクセサリＩＤに対応するデータを読み出す。そして、「補正」が「有効」に設定されている場合にはデータテーブルから読み出した内蔵マイク補正データに基づいてオーディオ制御データを生成する。
【０１１４】
図８、図９を参照して以上に説明したデータテーブルは、カメラ１００のＲＯＭ１６６内に記憶されるものであるが、同様のデータテーブルがアクセサリ内に記憶されてもよいことは図７のフローチャートを参照して説明したとおりである。データテーブルがカメラ１００のＲＯＭ１６６に記憶されるものである場合には、以上に説明したように、カメラ１００に装着されるアクセサリの種別を特定可能なアクセサリＩＤと、そのアクセサリＩＤに対応する内蔵マイク補正データがデータテーブル中に収容される。一方、アクセサリのＲＯＭ５０４内にデータテーブルが記憶される場合には、図１０に示されるような構成のデータテーブルが記憶される。
【０１１５】
図１０は、アクセサリのＲＯＭ５０４に記憶される、カメラＩＤとそのカメラＩＤに対応する内蔵マイク補正データを収容したデータテーブルを概念的に示す図である。図１０に示される表において、一番左に示されるカメラの種類と、一番右に示される備考とは、説明のために記載したものでデータテーブル中に、必ずしも含まれている必要はない。図１０に示される例においては、２種類のカメラ（カメラ１、カメラ２）に対応するデータテーブルの例が示されているが、これは一例であり、任意の種類数のカメラに対応するデータテーブルが記憶されていてもよい。
【０１１６】
図１０のデータテーブル中の各項目については図８、図９を参照して説明したのと同様であるのでその説明を省略する。また、図１０に例示されるデータテーブルは、無線通信機能付きストレージ内に記憶されるものとし、カメラＩＤがＣ１のカメラは、内蔵マイクロホン１０２および１０４を備えるタイプのカメラであるものとし、カメラＩＤがＣ２のカメラは、内蔵マイクロホン１０６および１０８を備えるタイプのカメラであるものとして説明をする。
【０１１７】
無線通信機能付きストレージが装着されると、カメラ１００が内蔵マイクロホン１０２および１０４を備える場合に、無線通信機能付きストレージによってマイク開口が覆われ、集音性能が低下するものとする。一方、カメラ１００が内蔵マイクロホン１０６および１０８を有する場合には集音性能に対する影響は無いものとする。
【０１１８】
上記に対応して、図１０のデータテーブルにおいて、カメラＩＤがＣ１のカメラに対しては、「補正」は「有効」に、「ゲイン」は２に、「イコライジング」は「特性１」に、「ＮＲ」は「オフ」に、「指向性」は「変更せず」に設定される。一方、カメラＩＤがＣ２のカメラに対しては「補正」が「無効」に設定される。この場合、カメラ１００はカメラ内のデフォルト設定に基づいてオーディオ制御データを生成するので、図１０のデータテーブル内には内蔵マイク補正データを記憶する必要がない。
【０１１９】
アクセサリのＣＰＵ５０２は、カメラ１００からカメラＩＤを受信し、図１０に示されるデータテーブルを探索して、カメラ１００から受信したカメラＩＤに対応するデータを読み出す。そして、「補正」が「有効」に設定されている場合には内蔵マイク補正データをカメラ１００に送信する。一方、「補正」が「無効」に設定されている場合には、「補正」が「無効」（補正不要）に設定されている旨を伝える情報をカメラ１００に送信する。
【０１２０】
以上に説明したように、組み合わせられるカメラおよびアクセサリの種類に応じてカメラの内蔵マイクロホンで集音される音の音響特性に変化を生じることがあっても、その変化に対応する内蔵マイクロホン音声信号補正データ（内蔵マイク補正データ）を参照して音声信号処理が行われるので、音響特性の変化の影響を抑制することが可能となる。
【０１２１】
また、カメラ１００に装着されるアクセサリの種類に応じて、カメラ１００の想定される使用条件に対応して音声信号の処理が行われるので、より良い音を収録することが可能となる。
【０１２２】
以上では音声を記録可能な記録装置として、カメラに本発明を適用する例について説明したが、音声のみを記録可能なレコーダ等に本発明を適用することも可能である。
【産業上の利用可能性】
【０１２３】
本発明は、電子式のスチルカメラ、ムービーカメラ、撮影機能付きの携帯電話、録音装置等、音声を収録可能な機器に適用することが可能である。
【符号の説明】
【０１２４】
１００  …  カメラ
１０２、１０４、１０６、１０８  …  内蔵マイクロホン
１１０  …  アクセサリシュー
１１２  …  接点
１１４  …  内蔵メモリ
１２８  …  ＣＰＵ
１３０  …  記憶媒体
１４０  …  アクセサリ制御部
１４２  …  アクセサリ別制御部
１４４  …  検出部
１４６  …  通信制御部
１５０  …  オーディオ制御部
１５４  …  Ｄ／Ａコンバータ
１５６  …  Ａ／Ｄコンバータ
１５８  …  内蔵スピーカ
２００  …  光学的ビューファインダ（ＯＶＦ）
２１０  …  電子ビューファインダ（ＥＶＦ）
２１２  …  接眼部
２１６  …  ベース部
２１８  …  コネクタ
２２０  …  接続部
３００  …  リングフラッシュ
３０２  …  本体部
３０４  …  接続部
３０６  …  ケーブル
３０８  …  発光部
４００  …  外付けフラッシュ
４０２  …  接続部
４０４  …  凹部
４０６  …  本体部
４０８  …  発光部
５００  …  通信制御部
５０２  …  ＣＰＵ
５０４  …  ＲＯＭ
５０６  …  ＲＡＭ
【図１】
0005523178.tif 000002
【図２】
0005523178.tif 000003
【図３】
0005523178.tif 000004
【図４】
0005523178.tif 000005
【図５】
0005523178.tif 000006
【図６】
0005523178.tif 000007
【図７】
0005523178.tif 000008
【図８】
0005523178.tif 000009
【図９】
0005523178.tif 000010
【図１０】
0005523178.tif 000011